(57)【要約】【課題】動画撮影の継続中に実行された静止画撮影時のストロボ発光による影響のない動画を再生できるように動画データを記録する。【解決手段】録画開始ボタンがオン操作されると、ムービー用ＣＣＤ２を用いて動画撮影を開始し、動画データを保存メモリ１３に記録保存する（ステップＳ１０７）。シャッターボタンが操作された場合には、ストロボモードが設定されているか否かを判断する（ステップＳ１０９）。設定されている場合には、動画撮影処理を一時停止して直前の画像を繰り返し使用する記録処理に切り換える（ステップＳ１１１）。その後、ストロボ発光させるとともに、スチル用ＣＣＤ２２を用いてストロボ発光を伴う静止画撮影を実行し、静止画データを保存メモリ１３に記録保存する（ステップＳ１１２）。そして、静止画の撮影・記録処理が終了したならば、動画撮影・記録処理を再開する（ステップＳ１１３）。【選択図】      図２
2008295098.tif 000002
【特許請求の範囲】
【請求項１】
動画撮影を継続しつつ静止画撮影を実行可能であって、動画撮影により取得する動画データと静止画撮影により取得する静止画データとを各々記録する撮像記録装置において、
前記動画撮影中における静止画撮影がストロボ発光を伴うか否かを判断する判断手段と、
この判断手段によりストロボ発光を伴うと判断された場合、少なくともストロボ発光している間、動画撮影を一時停止させる撮影制御手段と
を備えることを特徴とする撮像記録装置。
【請求項２】
前記動画撮影を一時停止させた際と再開させた際との少なくとも一方において取得した各動画データを用い、その間の補間動画データを生成する補間データ生成手段を更に備えることを特徴とする請求項１記載の撮像記録装置。
【請求項３】
動画撮影を継続しつつ静止画撮影を実行可能であって、動画撮影により取得する動画データと静止画撮影により取得する静止画データとを各々記録する撮像記録装置において、
前記動画撮影中における静止画撮影がストロボ発光を伴うか否かを判断する判断手段と、
この判断手段によりストロボ発光を伴うと判断された場合、該ストロボ発光を伴う静止画撮影時に取得した動画データを特定する情報を記録する特定情報記録手段と
を備えることを特徴とする撮像記録装置。
【請求項４】
前記動画撮影して記録された動画データに基づき動画を再生する再生手段と、
前記特定情報記録手段により記録された情報に基づき、前記再生手段による前記特定された動画データの再生を禁止する再生制御手段と
を更に備えることを特徴とする請求項３記載の撮像記録装置。
【請求項５】
前記再生制御手段は、前記再生を禁止された動画データに代えて、その前後の動画データに基づく動画を再生することを特徴とする請求項４記載の撮像記録装置。
【請求項６】
前記動画撮影して記録された動画データに基づき動画を再生する再生手段と、
前記特定情報記録手段により記録された情報に基づき特定された動画データに対して所定の画像処理を実行した上で再生に供する再生制御手段と
を更に備えることを特徴とする請求項３記載の撮像記録装置。
【請求項７】
動画撮影を継続しつつ静止画撮影を実行可能であって、動画撮影により取得する動画データと静止画撮影により取得する静止画データとを各々記録する撮像記録装置において、
前記動画撮影中における静止画撮影がストロボ発光を伴うか否かを判断する判断手段と、
この判断手段によりストロボ発光を伴うと判断された場合、記録された動画データの中からストロボ発光を伴う静止画撮影時に動画撮影して取得した動画データを検索し、この検索した動画データの記録を削除する削除手段と
を備えることを特徴とする撮像記録装置。
【請求項８】
前記削除された動画データの前又は後の少なくとも一方の動画データを用いて、その間の補間動画データを生成する補間データ生成手段を更に備えることを特徴とする請求項７記載の撮像記録装置。
【請求項９】
動画撮影を継続しつつ静止画撮影を実行可能であって、動画撮影により取得する動画データと静止画撮影により取得する静止画データとを各々記録する撮像記録装置において、
前記動画撮影中における静止画撮影がストロボ発光を伴うか否かを判断する判断手段と、
この判断手段によりストロボ発光を伴うと判断された場合、ストロボ発光している間、動画撮影に係る撮影条件を変更する撮影制御手段と
を備えることを特徴とする撮像記録装置。
【請求項１０】
前記撮影制御手段は、前記ストロボ発光量に基づいて動画撮影に係る撮影条件を変更することを特徴とする請求項９記載の撮像記録装置。
【請求項１１】
動画撮影を継続しつつ静止画撮影を実行可能であって、動画撮影により取得する動画データと静止画撮影により取得する静止画データとを各々記録する撮像記録装置において、
前記動画撮影中における静止画撮影がストロボ発光を伴うか否かを判断する判断手段と、
この判断手段によりストロボ発光を伴うと判断された場合、ストロボ発光中に動画撮影して取得した動画データに対して所定の画像処理を実行する画像処理手段と
を備えることを特徴とする撮像記録装置。
【請求項１２】
前記画像処理手段は、非ストロボ発光中に動画撮影して取得した動画データに基づいて所定の画像処理を実行することを特徴とする請求項１１記載の撮像記録装置。
【請求項１３】
動画撮影を継続しつつ静止画撮影を実行可能であって、動画撮影により取得する動画データと静止画撮影により取得する静止画データとを各々記録する撮像記録装置において、
前記動画撮影中における静止画撮影時のストロボ発光を禁止する発光制御手段を備えることを特徴とする撮像記録装置。
【請求項１４】
動画撮影を継続しつつ静止画撮影を実行可能であって、動画撮影により取得する動画データと静止画撮影により取得する静止画データとを各々記録する撮像記録装置が有するコンピュータを、
前記動画撮影中における静止画撮影がストロボ発光を伴うか否かを判断する判断手段と、
この判断手段によりストロボ発光を伴うと判断された場合、少なくともストロボ発光している間、動画撮影を一時停止させる撮影制御手段と
して機能させることを特徴とする撮像記録制御プログラム。
【請求項１５】
動画撮影を継続しつつ静止画撮影を実行可能であって、動画撮影により取得する動画データと静止画撮影により取得する静止画データとを各々記録する撮像記録装置が有するコンピュータを、
前記動画撮影中における静止画撮影がストロボ発光を伴うか否かを判断する判断手段と、
この判断手段によりストロボ発光を伴うと判断された場合、該ストロボ発光を伴う静止画撮影時に取得した動画データを特定する情報を記録する特定情報記録手段と
して機能させることを特徴とする撮像記録制御プログラム。
【請求項１６】
動画撮影を継続しつつ静止画撮影を実行可能であって、動画撮影により取得する動画データと静止画撮影により取得する静止画データとを各々記録する撮像記録装置が有するコンピュータを、
前記動画撮影中における静止画撮影がストロボ発光を伴うか否かを判断する判断手段と、
この判断手段によりストロボ発光を伴うと判断された場合、記録された動画データの中からストロボ発光を伴う静止画撮影時に動画撮影して取得した動画データを検索し、この検索した動画データの記録を削除する削除手段と
して機能させることを特徴とする撮像記録制御プログラム。
【請求項１７】
動画撮影を継続しつつ静止画撮影を実行可能であって、動画撮影により取得する動画データと静止画撮影により取得する静止画データとを各々記録する撮像記録装置が有するコンピュータを、
前記動画撮影中における静止画撮影時のストロボ発光を禁止する発光制御手段して機能させることを特徴とする撮像記録制御プログラム。
【請求項１８】
動画撮影を継続しつつ静止画撮影を実行可能であって、動画撮影により取得する動画データと静止画撮影により取得する静止画データとを各々記録する撮像記録装置が有するコンピュータを、
前記動画撮影中における静止画撮影がストロボ発光を伴うか否かを判断する判断手段と、
この判断手段によりストロボ発光を伴うと判断された場合、ストロボ発光している間、動画撮影に係る撮影条件を変更する撮影制御手段と
して機能させることを特徴とする撮像記録制御プログラム。
【請求項１９】
動画撮影を継続しつつ静止画撮影を実行可能であって、動画撮影により取得する動画データと静止画撮影により取得する静止画データとを各々記録する撮像記録装置が有するコンピュータを、
前記動画撮影中における静止画撮影がストロボ発光を伴うか否かを判断する判断手段と、
この判断手段によりストロボ発光を伴うと判断された場合、ストロボ発光中に動画撮影して取得した動画データに対して所定の画像処理を実行する画像処理手段と
して機能させることを特徴とする撮像記録制御プログラム。
【発明の詳細な説明】
【技術分野】
【０００１】
本発明は、動画撮影を継続しつつ静止画撮影を実行可能な撮像記録装置及び撮像記録制御プログラムに関する。
【背景技術】
【０００２】
従来、動画撮影を継続しつつ静止画撮影を実行可能な撮像記録装置が提案されるに至っている。この撮像記録装置は、ムービー用のＣＣＤ及び信号処理回路と、スチル用のＣＣＤ及び信号処理回路とを備える。したがって、ムービー用のＣＣＤ及び信号処理回路を連続的に動作させて動画撮影を行い、これにより取得する動画データを記録媒体に記録させることができるとともに、この動画撮影中におけるシャッター操作に応じて、スチル用のＣＣＤ及び信号処理回路を駆動することにより、静止画データを取得して記録媒体に記録させることができる。よって、動画撮影を継続しつつ適宜の時点での静止画撮影が可能となるものである（例えば、特許文献１参照。）。
【０００３】
【特許文献１】特開平４−３２４７８９号公報
【発明の開示】
【発明が解決しようとする課題】
【０００４】
しかしながら、このように動画撮影を継続しつつ適宜の時点での静止画撮影を行うと、この静止画撮影がストロボ発光を伴う場合には、継続中の動画撮影により取得した動画データには、ストロボの閃光が撮影された動画データが含まれてしまうことになる。したがって、この動画データを再生した際には、瞬間的な閃光画面が生じて動画の明暗が不自然に変化したり、閃光により明瞭に視認できない画像が瞬間的に生ずる等の不具合が発生し、静止画撮影時のストロボ発光による影響のない動画を再生することができない。
【０００５】
本発明は、かかる課題に鑑みてなされたものであり、動画撮影の継続中に実行された静止画撮影時のストロボ発光による影響のない動画を再生できるように動画データを記録することのできる撮像記録装置及び撮像記録制御プログラムを提供することを目的とするものである。
【課題を解決するための手段】
【０００６】
前記課題を解決するために請求項１に係る発明にあっては、動画撮影を継続しつつ静止画撮影を実行可能であって、動画撮影により取得する動画データと静止画撮影により取得する静止画データとを各々記録する撮像記録装置において、前記動画撮影中における静止画撮影がストロボ発光を伴うか否かを判断する判断手段と、この判断手段によりストロボ発光を伴うと判断された場合、少なくともストロボ発光している間、動画撮影を一時停止させる撮影制御手段とを備える。
【０００７】
したがって、記録された動画データには、少なくともストロボ発光している間の動画データが存在しないこととなる。よって、この記録された動画データを再生した場合、瞬間的な閃光画面が生じて動画の明暗が不自然に変化したり、閃光により明瞭に視認できない画像が瞬間的に生ずる等の不具合が発生することはない。
【０００８】
また、請求項２の発明に係る撮像記録装置にあっては、前記動画撮影を一時停止させた際と再開させた際との少なくとも一方において取得した各動画データを用い、その間の補間動画データを生成する補間データ生成手段を更に備える。したがって、動画撮影を一時停止させた際と再開させた際との間において欠落した動画データが、補間されて記録される。よって、静止画撮影時のストロボ発光による影響のない動画を再生することができるのみならず、撮影時において時間的に欠落した動画部分に関してもスムーズな動作を伴う動画再生が可能となる。
【０００９】
また、請求項３に係る発明にあっては、動画撮影を継続しつつ静止画撮影を実行可能であって、動画撮影により取得する動画データと静止画撮影により取得する静止画データとを各々記録する撮像記録装置において、前記動画撮影中における静止画撮影がストロボ発光を伴うか否かを判断する判断手段と、この判断手段によりストロボ発光を伴うと判断された場合、該ストロボ発光を伴う静止画撮影時に取得した動画データを特定する情報を記録する特定情報記録手段とを備える。
【００１０】
したがって、ストロボ発光を伴う静止画撮影時に取得した動画データを特定する情報に基づき、動画再生時において、瞬間的な閃光画面が生じて動画の明暗が不自然に変化したり、閃光により明瞭に視認できない画像が瞬間的に生ずる等の不具合が発生することを回避するための処理を行うことができる。
【００１１】
また、請求項４の発明に係る撮像記録装置にあっては、前記動画撮影して記録された動画データに基づき動画を再生する再生手段と、前記特定情報記録手段により記録された情報に基づき、前記再生手段による前記特定された動画データの再生を禁止する再生制御手段とを更に備える。
【００１２】
したがって、記録された動画データにストロボ発光を伴う静止画撮影開始から当該静止画撮影の終了までの動画データが存在していても、この動画データが再生されることはない。瞬間的な閃光画面が生じて動画の明暗が不自然に変化したり、閃光により明瞭に視認できない画像が瞬間的に生ずる等の不具合が発生することもない。
【００１３】
また、請求項５の発明に係る撮像記録装置にあっては、前記再生手段は、前記再生を禁止された動画データに代えて、その前後の動画データに基づく動画を再生する。
【００１４】
したがって、動画再生が禁止された動画データに代えて、その前後の動画データに基づく再生がなされる。よって、静止画撮影時のストロボ発光による影響のない動画を再生することができるのみならず、撮影時において時間的に欠落した動画部分に関してもスムーズな動作を伴う動画再生が可能となる。
【００１５】
また、請求項６の発明に係る撮像記録装置にあっては、前記動画撮影して記録された動画データに基づき動画を再生する再生手段と、前記特定情報記録手段により記録された情報に基づき特定された動画データに対して所定の画像処理を実行した上で再生に供する再生制御手段とを更に備える。
【００１６】
したがって、ストロボ発光を伴う静止画撮影時に取得した動画データを特定する情報に基づき、動画再生時において所定の画像処理を実行することで、瞬間的な閃光画面が生じて動画の明暗が不自然に変化したり、閃光により明瞭に視認できない画像が瞬間的に生ずる等の不具合が発生することを回避することができる。
【００１７】
また、請求項７に係る発明にあっては、動画撮影を継続しつつ静止画撮影を実行可能であって、動画撮影により取得する動画データと静止画撮影により取得する静止画データとを各々記録する撮像記録装置において、前記動画撮影中における静止画撮影がストロボ発光を伴うか否かを判断する判断手段と、この判断手段によりストロボ発光を伴うと判断された場合、記録された動画データの中からストロボ発光を伴う静止画撮影時に動画撮影して取得した動画データを検索し、この検索した動画データの記録を削除する削除手段とを備える。
【００１８】
したがって、記録された動画データにはストロボ発光を伴う静止画撮影時の動画データが存在しないこととなる。よって、この記録された動画データを再生した場合、瞬間的な閃光画面が生じて動画の明暗が不自然に変化したり、閃光により明瞭に視認できない画像が瞬間的に生ずる等の不具合が発生することはない。
【００１９】
また、請求項８の発明に係る撮像記録装置にあっては、前記削除された動画データの前又は後の少なくとも一方の動画データを用いて、その間の補間動画データを生成する補間データ生成手段を更に備える。
【００２０】
したがって、静止画撮影時のストロボ発光による影響のない動画を再生することができるのみならず、撮影時において時間的に欠落した動画部分に関してもスムーズな動作を伴う動画再生が可能となる。
【００２１】
また、請求項９に係る発明にあっては、動画撮影を継続しつつ静止画撮影を実行可能であって、動画撮影により取得する動画データと静止画撮影により取得する静止画データとを各々記録する撮像記録装置において、前記動画撮影中における静止画撮影がストロボ発光を伴うか否かを判断する判断手段と、この判断手段によりストロボ発光を伴うと判断された場合、ストロボ発光している間、動画撮影に係る撮影条件を変更する撮影制御手段とを備える。これにより、撮影時において時間的に欠落した動画部分を生じず、動画データを補間する必要がなくなるのでよりスムーズな動作を伴う動画再生が可能となる。しかも、記録された動画データを再生した場合、瞬間的な閃光画面が生じて動画の明暗が不自然に変化したり、閃光により明瞭に視認できない画像が瞬間的に生ずる等の不具合の発も未然に防止することができる。
【００２２】
また、請求項１０の発明に係る撮像記録装置にあっては、前記撮影制御手段は、前記ストロボ発光量に基づいて動画撮影に係る撮影条件を変更する。これにより、記録された動画データを再生した場合、瞬間的な閃光画面が生じて動画の明暗が不自然に変化したり、閃光により明瞭に視認できない画像が瞬間的に生ずる等の不具合の発も未然に防止することができるとともに、スムーズな動作を伴う動画再生が可能となる。
【００２３】
また、請求項１１に係る発明にあっては、動画撮影を継続しつつ静止画撮影を実行可能であって、動画撮影により取得する動画データと静止画撮影により取得する静止画データとを各々記録する撮像記録装置において、前記動画撮影中における静止画撮影がストロボ発光を伴うか否かを判断する判断手段と、この判断手段によりストロボ発光を伴うと判断された場合、ストロボ発光中に動画撮影して取得した動画データに対して所定の画像処理を実行する画像処理手段とを備える。この場合、動画データを補間する必要がなくなるのでより一層スムーズな動作を伴う動画再生が可能となる。
【００２４】
また、請求項１２の発明に係る撮像記録装置にあっては、前記画像処理手段は、非ストロボ発光中に動画撮影して取得した動画データに基づいて所定の画像処理を実行する。これにより、ストロボ発光中に動画撮影して取得した動画データを非ストロボ発光中と同質の動画データにすることができる。
【００２５】
また、請求項１３に係る発明にあっては、動画撮影を継続しつつ静止画撮影を実行可能であって、動画撮影により取得する動画データと静止画撮影により取得する静止画データとを各々記録する撮像記録装置において、前記動画撮影中における静止画撮影時のストロボ発光を禁止する発光制御手段を備える。
【００２６】
したがって、記録された動画データにストロボ発光が撮影されたものが存在することはなく、この記録された動画データを再生した場合、瞬間的な閃光画面が生じて動画の明暗が不自然に変化したり、閃光により明瞭に視認できない画像が瞬間的に生ずる等の不具合が発生することはない。しかも、動画データには時間的に欠落した部分も生じないことから、スムーズな動作を伴う動画再生が可能となる。
【００２７】
また、請求項１４の発明に係る撮像記録制御プログラムにあっては、動画撮影を継続しつつ静止画撮影を実行可能であって、動画撮影により取得する動画データと静止画撮影により取得する静止画データとを各々記録する撮像記録装置が有するコンピュータを、前記動画撮影中における静止画撮影がストロボ発光を伴うか否かを判断する判断手段と、この判断手段によりストロボ発光を伴うと判断された場合、少なくともストロボ発光している間、動画撮影を一時停止させる撮影制御手段として機能させる。したがって、前記コンピュータがこのプログラムに従って処理を実行することにより、請求項１記載の発明と同様の作用効果を奏する。
【００２８】
また、請求項１５の発明に係る撮像記録制御プログラムにあっては、動画撮影を継続しつつ静止画撮影を実行可能であって、動画撮影により取得する動画データと静止画撮影により取得する静止画データとを各々記録する撮像記録装置が有するコンピュータを、前記動画撮影中における静止画撮影がストロボ発光を伴うか否かを判断する判断手段と、この判断手段によりストロボ発光を伴うと判断された場合、該ストロボ発光を伴う静止画撮影時に取得した動画データを特定する情報を記録する特定情報記録手段として機能させる。したがって、前記コンピュータがこのプログラムに従って処理を実行することにより、請求項３記載の発明と同様の作用効果を奏する。
【００２９】
また、請求項１６の発明に係る撮像記録制御プログラムにあっては、動画撮影を継続しつつ静止画撮影を実行可能であって、動画撮影により取得する動画データと静止画撮影により取得する静止画データとを各々記録する撮像記録装置が有するコンピュータを、前記動画撮影中における静止画撮影がストロボ発光を伴うか否かを判断する判断手段と、この判断手段によりストロボ発光を伴うと判断された場合、記録された動画データの中からストロボ発光を伴う静止画撮影時に動画撮影して取得した動画データを検索し、この検索した動画データの記録を削除する削除手段として機能させる。したがって、前記コンピュータがこのプログラムに従って処理を実行することにより、請求項７記載の発明と同様の作用効果を奏する。
【００３０】
また、請求項１７の発明に係る撮像記録制御プログラムにあっては、動画撮影を継続しつつ静止画撮影を実行可能であって、動画撮影により取得する動画データと静止画撮影により取得する静止画データとを各々記録する撮像記録装置が有するコンピュータを、前記動画撮影中における静止画撮影時のストロボ発光を禁止する発光制御手段して機能させる。したがって、前記コンピュータがこのプログラムに従って処理を実行することにより、請求項８記載の発明と同様の作用効果を奏する。
【００３１】
また、請求項１８の発明に係る撮像記録制御プログラムにあっては、動画撮影を継続しつつ静止画撮影を実行可能であって、動画撮影により取得する動画データと静止画撮影により取得する静止画データとを各々記録する撮像記録装置が有するコンピュータを、前記動画撮影中における静止画撮影がストロボ発光を伴うか否かを判断する判断手段と、この判断手段によりストロボ発光を伴うと判断された場合、ストロボ発光している間、動画撮影に係る撮影条件を変更する撮影制御手段として機能させる。したがって、前記コンピュータがこのプログラムに従って処理を実行することにより、請求項９記載の発明と同様の作用効果を奏する。
【００３２】
また、請求項１９の発明に係る撮像記録制御プログラムにあっては、動画撮影を継続しつつ静止画撮影を実行可能であって、動画撮影により取得する動画データと静止画撮影により取得する静止画データとを各々記録する撮像記録装置が有するコンピュータを、前記動画撮影中における静止画撮影がストロボ発光を伴うか否かを判断する判断手段と、この判断手段によりストロボ発光を伴うと判断された場合、ストロボ発光中に動画撮影して取得した動画データに対して所定の画像処理を実行する画像処理手段として機能させる。したがって、前記コンピュータがこのプログラムに従って処理を実行することにより、請求項１１記載の発明と同様の作用効果を奏する。
【発明の効果】
【００３３】
以上説明したように請求項１、７、１４、１６に係る発明によれば、記録された動画データにはストロボ発光を伴う静止画撮影開始から当該静止画撮影の終了までの動画データが存在しないこととなる。よって、この記録された動画データを再生した場合、瞬間的な閃光画面が生じて動画の明暗が不自然に変化したり、閃光により明瞭に視認できない画像が瞬間的に生ずる等の不具合が発生することはなく、静止画撮影時のストロボ発光による影響のない動画を再生することができなる。
【００３４】
また、請求項３及び１５に係る発明によれば、ストロボ発光を伴う静止画撮影時に取得した動画データであることを特定する情報に基づき、動画再生時において、当該動画データの再生を回避することが可能となる。よって、瞬間的な閃光画面が生じて動画の明暗が不自然に変化したり、閃光により明瞭に視認できない画像が瞬間的に生ずる等の不具合が発生する未然に防止することができる。
【００３５】
また、請求項９、１１、１８、１９に係る発明によれば、撮影時において時間的に欠落した動画部分を生じず、動画データを補間する必要がなくなるのでよりスムーズな動作を伴う動画再生が可能となる。しかも、記録された動画データを再生した場合、瞬間的な閃光画面が生じて動画の明暗が不自然に変化したり、閃光により明瞭に視認できない画像が瞬間的に生ずる等の不具合の発も未然に防止することができる。
【００３６】
また、請求項１３及び１７に係る発明によれば、記録された動画データにストロボ発光が撮影されたものが存在することはなく、この記録された動画データを再生した場合、瞬間的な閃光画面が生じて動画の明暗が不自然に変化したり、閃光により明瞭に視認できない画像が瞬間的に生ずる等の不具合が発生することはない。しかも、動画データには時間的に欠落した部分もないことから、スムーズな動作を伴う動画再生が可能となる。
【発明を実施するための最良の形態】
【００３７】
以下、本発明の一実施の形態を図にしたがって説明する。
（第１の実施の形態）
図１は、本発明の各実施の形態に共通する撮像記録装置であるデジタルカメラ１の概略構成を示すブロック図である。このデジタルカメラ１は、動画撮影を継続しつつ静止画撮影を実行可能であって、ムービー用ＣＣＤ２とスチル用ＣＣＤ２２及びＤＳＰ／ＣＰＵ３とを有している。ＤＳＰ／ＣＰＵ３は、画像データの圧縮・伸張、音声データの処理を含む各種のデジタル信号処理機能を有するとともにデジタルカメラ１の各部を制御するワンチップマイコンである。なお、ムービー用ＣＣＤ２としては画素数が少なくても感度が高いもの（ムービー撮影（スルー画表示）に適したもの）を、また、スチル用ＣＣＤ２２としては感度が低くても画素数が多いもの（スチル撮影に適したもの）を用いるのが望ましい。
【００３８】
ＤＳＰ／ＣＰＵ３には、ムービー用ＣＣＤ２を駆動するＴＧ（Timing Generator）４と、スチル用ＣＣＤ２２を駆動するＴＧ２４とが接続されている。これらＴＧ４、２４には、各ＣＣＤ２、２２から出力される被写体の光学像に応じたアナログの撮像信号が入力するユニット回路５、２５が各々接続されている。各ユニット回路５、２５は、入力した撮像信号を保持するＣＤＳと、その撮像信号を増幅するゲイン調整アンプ（ＡＧＣ）、増幅された撮像信号をデジタルの撮像信号に変換するＡ／Ｄ変換器（ＡＤ）から構成されており、各ＣＣＤ２、２２の出力信号はユニット回路５、２５を経て各々デジタル信号としてＤＳＰ／ＣＰＵ３に送られる。
【００３９】
ＤＳＰ／ＣＰＵ３には、表示装置６、キー入力部７、時計部８、音声処理部９、及びストロボ回路１４が接続されるとともに、アドレス・データバス１０を介してバッファメモリ（ＤＲＡＭ）１１、内蔵フラッシュメモリ１２、保存メモリ１３が接続されている。バッファメモリ１１は、両ＣＣＤ２、２２により撮像された後デジタル化された被写体の画像データ等を一時保存するバッファであるとともに、ＤＳＰ／ＣＰＵ３のワーキングメモリとしても使用される。バッファメモリ１１に一時保存された画像データは、ＤＳＰ／ＣＰＵ３により圧縮（符号化）が行われ、最終的には所定のフォーマット（ＪＰＥＧ方式等）を備えた静止画データや動画データとして保存メモリ１３に記録される。内蔵フラッシュメモリ１２には、ＤＳＰ／ＣＰＵ３の動作プログラムや各部の制御に使用する各種データが記憶されており、ＤＳＰ／ＣＰＵ３は、前記動作プログラムに従い動作することにより、判断手段、撮影制御手段、補間データ生成手段、特定情報記録手段、再生制御手段、削除手段、画像処理手段、発光制御手段等として機能する。
【００４０】
表示装置６は、カラーＬＣＤとその駆動回路とを含み、撮影待機状態にあるときにはスチル用ＣＣＤ２２によって撮像された被写体画像をスルー画像として表示し、記録画像の再生時には保存メモリ１３から読み出され伸張された動画又は静止画を表示する。キー入力部７は、シャッターボタン、ストロボモード設定キー、録画開始ボタン及び録画終了ボタン、再生キー、電源キー、ＭＥＮＵキー、十字キー等の複数の操作キーを含み、使用者によるキー操作に応じたキー入力信号をＤＳＰ／ＣＰＵ３に出力する。時計部８は日付及び時刻をカウントするカレンダー機能と時計機能とを有しており、撮影動作時等に必要に応じて日付データ及び時刻データをＤＳＰ／ＣＰＵ３へ送る。
【００４１】
音声処理部９は、内蔵マイク、アンプ、Ａ／Ｄ変換器、内蔵スピーカ、Ｄ／Ａ変換器等を含み、音声付き撮影モードでの撮影時に内蔵マイクに入力した音声をデジタル信号に変換してＤＳＰ／ＣＰＵ３へ送る。ＤＳＰ／ＣＰＵ３へ送られた音声データは所定のフォーマットで動画データとともに保存メモリ１３に記録される。音声データは動画データとともに再生され、アナログ信号に変換して内蔵スピーカから音声出力される。ストロボ回路１４は、ストロボ管を発光手段として備え、シャッターキーの操作に応答したＤＳＰ／ＣＰＵ３からの指示信号に基づきストロボ管を発光動作させるものである。なお、両ＣＣＤ２、２２は、図示しない同一の光学系により被写体像が結像される。但し、ＣＣＤ２用の光学系とＣＣＤ２２用の光学系を設けるようにしてもよい。
【００４２】
次に、以上の構成からなるデジタルカメラ１における本発明の動作を説明する。撮影モードが設定されると、ＤＳＰ／ＣＰＵ３は、前記プログラムに基づき図２に示すフローチャートに従った処理を実行する。すなわち、ムービー用ＣＣＤ２によって撮像された被写体画像をスルー画像として表示装置６に表示する（ステップＳ１０１）次に、録画開始ボタンとシャッターボタンのいずれかが押下されるまで待機する（ステップＳ１０２、Ｓ１０３）。
【００４３】
そして、録画開始ボタンが操作されずに、シャッターキーが押下された場合には、ストロボモードが設定されているか否かを判断する（ステップＳ１０４）。ストロボ発光モードが設定されている場合には、ストロボ回路１４に指示してストロボ発光させるとともに、スチル用ＣＣＤ２２を用いてストロボ発光を伴う静止画撮影を実行して、被写体の静止画データをバッファメモリ１１に一時保存し、必要な処理を行って、最終的に所定のフォーマットで静止画データを保存メモリ１３に記録保存する（ステップＳ１０５）。また、ステップＳ１０４での判断の結果、ストロボ発光モードが設定されていない場合には、ストロボ発光させることなく、スチル用ＣＣＤ２２を用いて静止画撮影を実行し、同様にして被写体の静止画データを保存メモリ１３に記録する（ステップＳ１０６）。
【００４４】
一方、ステップＳ１０２で録画開始ボタンがオン操作されたと判断された場合には、ムービー用ＣＣＤ２を用いて動画撮影を開始し、且つ音声処理部９に指示して内蔵マイクに入力した音声をデジタル信号に変換する処理を開始させ、動画データと音声データとをバッファメモリ１１に一時保存し、必要な処理を行って保存メモリ１３に記録保存する処理を開始する（ステップＳ１０７）。
【００４５】
次に、シャッターボタンが操作されたか否かを判断し（ステップＳ１０８）、操作されない場合には後述するステップＳ１１４に進む。また、シャッターボタンが操作された場合には、ストロボモードが設定されているか否かを判断する（ステップＳ１０９）。ストロボモードが設定されていない場合には、そのままスチル用ＣＣＤ２２を用いて静止画撮影を実行し、被写体の静止画データを保存メモリ１３に記録する（ステップＳ１１０）。このとき、動画撮影は継続中であるが、このステップＳ１１０での静止画撮影時には、ストロボ発光を伴わないことから、継続中の動画撮影により保存メモリ１３に記録保存される動画データに、ストロボの閃光が撮影された動画データが含まれてしまうことはない。
【００４６】
他方、ステップＳ１０９での判断の結果、ストロボモードが設定されている場合には、動画撮影処理を一時停止して直前のフレームデータを繰り返し使用する記録処理に切り換える（ステップＳ１１１）。すなわち、ムービー用ＣＣＤ２側からのデータ入力を一時停止させて動画撮影処理を停止させるとともに、バッファメモリ１１に残されている一時停止した直前のフレームデータを繰り返し使用して、該バッファメモリ１１内で補間動画データを生成し、これを音声処理部９で取得した音声データとともに保存メモリ１３に記録させていく。
【００４７】
引き続き、ストロボ回路１４に指示してストロボ発光させるとともに、スチル用ＣＣＤ２２を用いてストロボ発光を伴う静止画撮影を実行し、被写体の静止画データを保存メモリ１３に記録保存する（ステップＳ１１２）。そして、このようにして、静止画の撮影・記録処理が終了したならば、動画撮影・記録処理を再開して、ムービー用ＣＣＤ２側から取得した動画データを保存メモリ１３に記録保存する処理を再開する（ステップＳ１１３）。
【００４８】
次に、録画終了ボタンが操作されたか否かを判断し（ステップＳ１１４）、録画終了ボタンが操作されるまで、ステップＳ１０８〜Ｓ１１４のループを繰り返す。そして、録画終了ボタンが操作されたならば、動画撮影・記録処理、音声録音処理を停止して（ステップＳ１１５）、動画データと音声データとの保存メモリ１３への記録保存を停止する。
【００４９】
したがって、本実施の形態においては、保存メモリ１３に記録された動画データにストロボ発光を伴う静止画撮影開始から当該静止画撮影の終了までの動画データは存在しない。よって、この記録された動画データを再生した場合、瞬間的な閃光画面が生じて動画の明暗が不自然に変化したり、閃光により明瞭に視認できない画像が瞬間的に生ずる等の不具合が発生することはなく、静止画撮影時のストロボ発光による影響のない動画を再生することができなる。しかも、ステップＳ１１１での処理により、静止画撮影開始から当該静止画撮影の終了までの時間的に欠落した動画データが補間されることから、この時間的に欠落した動画部分に関してもスムーズな動作を伴う動画再生が可能となる。
【００５０】
なお、この実施の形態においては、ステップＳ１１１での処理により、動画撮影を一時停止した直前のフレームデータを繰り返し使用して、補間動画データを生成するようにした。しかし、動画撮影を再開した直後フレームデータのみ、あるいは動画撮影を一時停止した直前のフレームデータと再開した直後のフレームデータとを用いて、補間動画データを生成し、時間的に欠落した部分に生成した補間動画データを挿入するようにしてもよい。
【００５１】
また、この実施の形態においては、ステップＳ１０９でストロボモードが設定されているか否か、すなわちストロボの強制発光モードが設定されているか否かを判断するようにしたが、ステップＳ１０９でムービー用ＣＣＤ２側から取得した動画データ（フォトセンサ出力を用いてもよい）に基づいて周囲の明るさを判断し、暗いと判断された場合にステップＳ１１１に進み、明るいと判断された場合にステップＳ１１０に進むようにしてもよい。また、ステップＳ１０９でストロボモードとして強制発光が設定されていると判断された場合、あるいはストロボモードとしてオートが設定されていて且つ周囲が暗いと判断された場合にステップＳ１１１に進むようにしてもよい。
【００５２】
（第１の実施の形態の変形例１）
図３、４は、本発明の第１の実施の形態の変形例１における処理手順を示すフローチャートである。すなわち、撮影モードが設定されると、ＤＳＰ／ＣＰＵ３は、前記プログラムに基づき図３に示すフローチャートに従った処理を実行する。このフローチャートにおいて、ステップＳ２０１〜Ｓ２１０までの処理は、前述した図２のフローチャートにおけるステップＳ１０１〜Ｓ１１０の処理と同様である。
【００５３】
そして、ステップＳ２０９に続くステップＳ２１１においては、動画撮影を継続したまま、ストロボ回路１４に指示してストロボ発光させるとともに、スチル用ＣＣＤ２２を用いてストロボ発光を伴う静止画撮影を実行し、被写体の静止画データを保存メモリ１３に記録保存する。また、このストロボ発光を伴う静止画撮影時において動画撮影されて取得した動画データを保存メモリ１３に記録保存する際に、動画データにフラグ情報を付加して記録する（ステップＳ２１２）。すなわち、ストロボ発光を伴う静止画撮影を開始してから終了するまでに、動画撮影されて保存メモリ１３に記録保存される動画データの各フレームにフラグ情報を付加し、あるいはストロボ発光直前からストロボからの光が消失する時点までに動画撮影されて保存メモリ１３に記録保存される動画データの各フレームにフラグ情報を付加する。
【００５４】
次に、録画終了ボタンが操作されたか否かを判断し（ステップＳ２１３）、録画終了ボタンが操作されるまで、ステップＳ２０８〜Ｓ２１３のループを繰り返す。そして、録画終了ボタンが操作されたならば、動画撮影・記録処理、音声録音処理を停止して（ステップＳ２１４）、動画データと音声データとの保存メモリ１３への記録保存を停止する。
【００５５】
また、再生モードが設定されると、ＤＳＰ／ＣＰＵ３は、前記プログラムに基づき図４に示すフローチャートに従った処理を実行する。すなわち、ユーザが、保存メモリ１３に記録保存されているいずれかの動画像を選択する操作をキー入力部７で行うと、この操作に対応する動画像を選択する（ステップＳ３０１）。さらに、この選択した動画像の動画データを順次読み出して、再生を開始し（ステップＳ３０２）、これにより、表示装置６には、順次読み出される動画データに基づく動画が表示される。
【００５６】
この動画再生中において、ＤＳＰ／ＣＰＵ３は、保存メモリ１３から読み出される動画データにフラグ情報が付加されているか否かを常時チェックする（ステップＳ３０３）。フラグ情報が付加されていない場合には、キー入力部７での操作による動画再生終了指示があったか否かを判断し（ステップＳ３０５）、動画再生終了指示があるまで、ステップＳ３０３〜Ｓ３０５の処理を繰り返して、動画再生を継続する。
【００５７】
そして、このように動画再生を継続している状態において、保存メモリ１３から読み出される動画データにフラグ情報が付加されている場合には（ステップＳ３０３；ＹＥＳ）、フラグ情報が付加されているフレームによる画像再生を禁止し、このフラグ情報が付加されている前後のフレームの画像を再生する（ステップＳ３０４）。したがって、前述の図３に示したフローチャートに従った処理により、動画データにストロボ発光を伴う静止画撮影時に記録したフレームが含まれていても、これが再生されることはなく、瞬間的な閃光画面が生じて動画の明暗が不自然に変化したり、閃光により明瞭に視認できない画像が瞬間的に生ずる等の不具合が発生することもない。
【００５８】
なお、ステップＳ３０４の処理に代えて、再生画像に対して明るさを低減させる画像処理を実行した上で画像再生させることにより、前後の再生画像と同等の明るさになるようにしてもよい。この場合、フラグ情報が付加されている再生画像とその画像の前後のフラグ情報が付加されていない再生画像とを比較して輝度差を得て、この輝度差に基づいて再生画像の明るさを調整するか、あるいはフラグ情報が付加されている再生画像の前後の再生画像の輝度値を得て、この輝度値となるように再生画像の明るさを調整するのが望ましい。このように構成すれば、動画データを補間する必要がなくなるのでより一層スムーズな動作を伴う動画再生が可能となる。
【００５９】
（第１の実施の形態の変形例２）
図５は、本発明の第１の実施の形態の変形例２における処理手順を示すフローチャートである。すなわち、撮影モードが設定されると、ＤＳＰ／ＣＰＵ３は、前記プログラムに基づき図５に示すフローチャートに従った処理を実行する。このフローチャートにおいて、ステップＳ４０１〜Ｓ４１４の処理は、前述した図３のフローチャートにおけるステップＳ２０１〜Ｓ２１４の処理と同様である。
【００６０】
そして、ステップＳ４１４に続くステップＳ４１５においては、今回の動画撮影により保存メモリ１３に記録された動画データから、ステップＳ４１２の処理によりフラグ情報が付加されている画像（フレーム）を検索する。さらに、この検索した画像（フレーム）を保存メモリ１３から削除処理する（ステップＳ４１６）。次に、この削除処理した画像の前後の画像（フレーム）から補間画像を作成して、その画像データを前記ステップＳ４１６で削除した動画データの部分に挿入する処理を実行する（ステップＳ４１７）。
【００６１】
したがって、ステップＳ４１６での削除処理により、保存メモリ１３に記録された動画データにはストロボ発光を伴う静止画撮影開始から当該静止画撮影の終了までの動画データが存在しないこととなる。よって、この記録された動画データを再生した場合、瞬間的な閃光画面が生じて動画の明暗が不自然に変化したり、閃光により明瞭に視認できない画像が瞬間的に生ずる等の不具合が発生することはない。また、ステップＳ４１７での処理により、前記削除処理によって時間的に欠落した動画データも補間されることとなり、スムーズな動作を伴う動画再生が可能となる。
【００６２】
なお、ステップＳ４１２の処理を行わずにステップＳ４１５において前後の画像と比較して著しく明るい画像を検出するようにしてもよい。
【００６３】
また、ステップＳ４１６、Ｓ４１７の処理に代えて、検索した画像に対して明るさを低減させる画像処理を実行することにより、検索した画像の前後の画像と同等の明るさになるようにしてもよい。この場合、検索した画像とその画像の前後の画像とを比較して輝度差を得て、この輝度差に基づいて検索した画像の明るさを調整するか、あるいは検索した画像の前後の画像の輝度値を得て、この輝度値となるように検索した画像の明るさを調整するのが望ましい。このように構成すれば、動画データを補間する必要がなくなるのでより一層スムーズな動作を伴う動画再生が可能となる。
【００６４】
また、動画撮影終了後、ストロボの閃光が撮影された動画データを検索し、検索した画像に対して明るさを低減させる画像処理を実行するのではなく、ストロボ発光を伴う静止画撮影処理中、動画撮影処理に係る露出値（絞り値、シャッタースピード値、ゲイン値等）を変更制御して、この撮影タイミングの動画像の明るさを他の撮影タイミングの動画像と同等になるようにしてもよい。この場合、ストロボ発光量や被写体距離等に基づいて変更する露出値を決定するのが望ましい。
【００６５】
（第２の実施の形態）
図６は、本発明の第２の実施の形態における処理手順を示すフローチャートである。すなわち、撮影モードが設定されると、ＤＳＰ／ＣＰＵ３は、前記プログラムに基づき図６に示すフローチャートに従った処理を実行する。このフローチャートにおいて、ステップＳ５０１〜Ｓ５０６までの処理は、前述した図２のフローチャートにおけるステップＳ１０１〜Ｓ１０６の処理と同様である。
【００６６】
そして、ステップＳ５０２で、録画開始ボタンがオン操作されたと判断されると、如何なる条件下でシャッターボタンが操作されてもストロボ回路１４を動作させないストロボ発光禁止モードを設定する（ステップＳ５０７）。引き続き、ムービー用ＣＣＤ２を用いて動画撮影を開始し、且つ音声処理部９に指示して内蔵マイクに入力した音声をデジタル信号に変換する処理を開始させ、動画データと音声データとをバッファメモリ１１に一時保存し、必要な処理を行って保存メモリ１３に記録保存する処理を開始する（ステップＳ５０８）。
【００６７】
次に、シャッターボタンが操作されたか否かを判断し（ステップＳ５０９）、操作されない場合には後述するステップＳ５１１に進む。また、シャッターボタンが操作された場合には、スチル用ＣＣＤ２２を用いて静止画撮影を実行し、被写体の静止画データを保存メモリ１３に記録する（ステップＳ５１０）。このとき、動画撮影は継続中であるが、このステップＳ５１０での静止画撮影時には、シャッターボタンが操作されもストロボ発光を伴わないことから、継続中の動画撮影により保存メモリ１３に記録保存される動画データに、ストロボの閃光が撮影された動画データが含まれてしまうことはない。しかも、保存メモリ１３に記録保存された動画データには時間的に欠落した部分も生じはいない。
【００６８】
さらに、録画終了ボタンが操作されたか否かを判断し（ステップＳ５１１）、録画終了ボタンが操作されるまでステップＳ５０９〜Ｓ５１１の処理を繰り返す。そして、録画終了ボタンが操作されたならば、動画撮影・記録処理、音声録音処理を停止して（ステップＳ５１２）、動画データと音声データとの保存メモリ１３への記録保存を停止する。また、ストロボ発光禁止モードを解除し、シャッターボタンが操作された際には、発光条件に応じてストロボ回路１４の動作が許容される状態に復帰させておく。
【００６９】
なお、前記第１及び第２の実施の形態においては、スチル用の撮像素子とムービー用の撮像素子とが設けられているデジタルカメラに本発明の適用した場合について説明したが、スチル・ムービー兼用の撮像素子が１つだけ設けられているデジタルカメラに本発明を適用してもよい。
【００７０】
また、前記第１及び第２の実施の形態にあっては、動画撮影においては照明無しで撮影を行う場合について説明したが、動画撮影用のライト装置を設け、このライト装置を点灯した状態で動画撮影している際中にストロボ発光を伴う静止画撮影を行う場合にも本発明を適用することができる。
【００７１】
また、前記第１及び第２の実施の形態にあっては、いずれも本発明をデジタルカメラに適用した場合について説明したが、本発明はこれに限るものではなく、他にもカメラ付き携帯電話端末、カメラ付きＰＤＡ（Ｐｅｒｓｏｎａｌ Ｄｉｇｉｔａｌ Ａｓｓｉｓｔａｎｔｓ：携帯情報端末）、カメラ付きパーソナルコンピュータ、等に適用することも容易に可能であり、要は動画撮影中に静止画撮影が可能な装置であればいずれにも適用できる。
【図面の簡単な説明】
【００７２】
【図１】本発明の各実施の形態に共通する電子スチルカメラのブロック図である。
【図２】第１の実施の形態における撮影モード時の処理手順を示すフローチャートである。
【図３】第１の実施の形態の変形例１における撮影モード時の処理手順を示すフローチャートである。
【図４】同変形例における再生モード時の処理手順を示すフローチャートである。
【図５】第１の実施の形態の変形例２における撮影モード時の処理手順を示すフローチャートである。
【図６】第２の実施の形態における撮影モード時の処理手順を示すフローチャートである。
【符号の説明】
【００７３】
１  デジタルカメラ
２  ムービー用ＣＣＤ
３  ＤＳＰ／ＣＰＵ
４  ＴＧ
５  ユニット回路
６  表示装置
７  キー入力部
８  時計部
９  音声処理部
１０  データバス
１１  バッファメモリ
１２  内蔵フラッシュメモリ
１３  保存メモリ
１４  ストロボ回路
２２  スチル用ＣＣＤ
２４  ＴＧ
２５  ユニット回路
【図１】
2008295098.tif 000003
【図２】
2008295098.tif 000004
【図３】
2008295098.tif 000005
【図４】
2008295098.tif 000006
【図５】
2008295098.tif 000007
【図６】
2008295098.tif 000008
【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
動画撮影と並行して静止画撮影を実行可能であって、動画撮影により取得する動画データと静止画撮影により取得する静止画データとを各々記録する撮像記録装置において、
前記動画撮影中における静止画撮影がストロボ発光を伴うか否かを判断する判断手段と、
この判断手段によりストロボ発光を伴うと判断された場合、該ストロボ発光を伴う静止画撮影時に取得した動画データを特定する情報を記録する特定情報記録手段と
を備えることを特徴とする撮像記録装置。
【請求項２】
前記動画撮影して記録された動画データに基づき動画を再生する再生手段と、
前記特定情報記録手段により記録された情報に基づき、前記再生手段による前記特定された動画データの再生を禁止する再生制御手段と
を更に備えることを特徴とする請求項１記載の撮像記録装置。
【請求項３】
前記再生制御手段は、前記再生を禁止された動画データに代えて、その前後の動画データに基づく動画を再生することを特徴とする請求項２記載の撮像記録装置。
【請求項４】
前記動画撮影して記録された動画データに基づき動画を再生する再生手段と、
前記特定情報記録手段により記録された情報に基づき特定された動画データに対して明るさを低減させる画像処理を実行した上で再生に供する再生制御手段と
を更に備えることを特徴とする請求項１記載の撮像記録装置。
【請求項５】
前記特定情報記録手段により記録された情報に基づき、前記特定された動画データの記録を削除する削除手段を備えることを特徴とする請求項１記載の撮像記録装置。
【請求項６】
前記削除された動画データの前又は後の少なくとも一方の動画データを用いて、その間の補間動画データを生成する補間データ生成手段を更に備えることを特徴とする請求項５記載の撮像記録装置。
【請求項７】
前記特定情報記録手段により記録された情報に基づき、前記特定された動画データに対して明るさを低減させる画像処理を実行する画像処理手段を備えることを特徴とする請求項１記載の撮像記録装置。
【請求項８】
前記画像処理手段は、非ストロボ発光中に動画撮影して取得した動画データに基づいて所定の画像処理を実行することを特徴とする請求項７記載の撮像記録装置。
【請求項９】
動画撮影と並行して静止画撮影を実行可能であって、動画撮影により取得する動画データと静止画撮影により取得する静止画データとを各々記録する撮像記録装置が有するコンピュータを、
前記動画撮影中における静止画撮影がストロボ発光を伴うか否かを判断する判断手段と、
この判断手段によりストロボ発光を伴うと判断された場合、該ストロボ発光を伴う静止画撮影時に取得した動画データを特定する情報を記録する特定情報記録手段と
して機能させることを特徴とする撮像記録制御プログラム。
【手続補正２】
【補正対象書類名】明細書
【補正対象項目名】０００６
【補正方法】変更
【補正の内容】
【０００６】
前記課題を解決するために請求項１に係る発明にあっては、動画撮影と並行して静止画撮影を実行可能であって、動画撮影により取得する動画データと静止画撮影により取得する静止画データとを各々記録する撮像記録装置において、前記動画撮影中における静止画撮影がストロボ発光を伴うか否かを判断する判断手段と、この判断手段によりストロボ発光を伴うと判断された場合、該ストロボ発光を伴う静止画撮影時に取得した動画データを特定する情報を記録する特定情報記録手段とを備える。
【手続補正３】
【補正対象書類名】明細書
【補正対象項目名】０００７
【補正方法】変更
【補正の内容】
【０００７】
したがって、ストロボ発光を伴う静止画撮影時に取得した動画データを特定する情報に基づき、動画再生時において、瞬間的な閃光画面が生じて動画の明暗が不自然に変化したり、閃光により明瞭に視認できない画像が瞬間的に生ずる等の不具合が発生することを回避するための処理を行うことができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
また、請求項２の発明に係る撮像記録装置にあっては、前記動画撮影して記録された動画データに基づき動画を再生する再生手段と、前記特定情報記録手段により記録された情報に基づき、前記再生手段による前記特定された動画データの再生を禁止する再生制御手段とを更に備える。
【手続補正８】
【補正対象書類名】明細書
【補正対象項目名】００１３
【補正方法】変更
【補正の内容】
【００１３】
また、請求項３の発明に係る撮像記録装置にあっては、前記再生手段は、前記再生を禁止された動画データに代えて、その前後の動画データに基づく動画を再生する。
【手続補正９】
【補正対象書類名】明細書
【補正対象項目名】００１５
【補正方法】変更
【補正の内容】
【００１５】
また、請求項４の発明に係る撮像記録装置にあっては、前記動画撮影して記録された動画データに基づき動画を再生する再生手段と、前記特定情報記録手段により記録された情報に基づき特定された動画データに対して明るさを低減させる画像処理を実行した上で再生に供する再生制御手段とを更に備える。
【手続補正１０】
【補正対象書類名】明細書
【補正対象項目名】００１６
【補正方法】変更
【補正の内容】
【００１６】
したがって、ストロボ発光を伴う静止画撮影時に取得した動画データを特定する情報に基づき、動画再生時において明るさを低減させる画像処理を実行することで、瞬間的な閃光画面が生じて動画の明暗が不自然に変化したり、閃光により明瞭に視認できない画像が瞬間的に生ずる等の不具合が発生することを回避することができる。
【手続補正１１】
【補正対象書類名】明細書
【補正対象項目名】００１７
【補正方法】変更
【補正の内容】
【００１７】
また、請求項５に係る発明にあっては、前記特定情報記録手段により記録された情報に基づき、前記特定された動画データの記録を削除する削除手段を備える。
【手続補正１２】
【補正対象書類名】明細書
【補正対象項目名】００１９
【補正方法】変更
【補正の内容】
【００１９】
また、請求項６の発明に係る撮像記録装置にあっては、前記削除された動画データの前又は後の少なくとも一方の動画データを用いて、その間の補間動画データを生成する補間データ生成手段を更に備える。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】変更
【補正の内容】
【００２３】
また、請求項７に係る発明にあっては、前記特定情報記録手段により記録された情報に基づき、前記特定された動画データに対して明るさを低減させる画像処理を実行する画像処理手段を備える。この場合、動画データを補間する必要がなくなるのでより一層スムーズな動作を伴う動画再生が可能となる。
【手続補正１７】
【補正対象書類名】明細書
【補正対象項目名】００２４
【補正方法】変更
【補正の内容】
【００２４】
また、請求項８の発明に係る撮像記録装置にあっては、前記画像処理手段は、非ストロボ発光中に動画撮影して取得した動画データに基づいて所定の画像処理を実行する。これにより、ストロボ発光中に動画撮影して取得した動画データを非ストロボ発光中と同質の動画データにすることができる。
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】変更
【補正の内容】
【００２８】
また、請求項９の発明に係る撮像記録制御プログラムにあっては、動画撮影と並行して静止画撮影を実行可能であって、動画撮影により取得する動画データと静止画撮影により取得する静止画データとを各々記録する撮像記録装置が有するコンピュータを、前記動画撮影中における静止画撮影がストロボ発光を伴うか否かを判断する判断手段と、この判断手段によりストロボ発光を伴うと判断された場合、該ストロボ発光を伴う静止画撮影時に取得した動画データを特定する情報を記録する特定情報記録手段として機能させる。したがって、前記コンピュータがこのプログラムに従って処理を実行することにより、請求項１記載の発明と同様の作用効果を奏する。
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】変更
【補正の内容】
【００３３】
以上説明したように請求項１及び９に係る発明によれば、ストロボ発光を伴う静止画撮影時に取得した動画データであることを特定する情報に基づき、動画再生時において、当該動画データの再生を回避することが可能となる。よって、瞬間的な閃光画面が生じて動画の明暗が不自然に変化したり、閃光により明瞭に視認できない画像が瞬間的に生ずる等の不具合が発生する未然に防止することができる。
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】